(57)【要約】【課題】メーカが付したブランドタグに加えて取付けることが、ピストルを使わずに短時間で行える値札であって、商品の運送中の振動等によって値札がはずれてしまうことのないものを提供すること。【解決手段】互いに貼着された略長方形状の表面シート及び裏面シートと、表面シート及び裏面シートの両方を貫通する取付孔と、取付孔から長方形の１辺に向けて設けられた弱粘着部と、表面シート及び裏面シートの両方について弱粘着部の周縁又は内部の異なる箇所に設けられたピン挿入用切込みとを備える値札を提供する。ピン挿入用切込みにピンを挿入して短時間で値札を取付けることができる。【選択図】図４
2014202926.tif 000002
【特許請求の範囲】
【請求項１】
互いに貼着された略長方形状の表面シート及び裏面シートと、
前記表面シート及び裏面シートの両方を貫通する取付孔と、
前記取付孔から前記長方形の１辺に向けて設けられた弱粘着部と、
前記弱粘着部の周縁又は内部に設けられた前記取付孔と前記長方形の１辺とを結ぶ前記表面シートのピン挿入用切込み（ピン挿入用表面切込み）と、
前記弱粘着部の周縁又は内部に設けられた前記取付孔と前記長方形の１辺とを結ぶ前記裏面シートのピン挿入用切込み（ピン挿入用裏面切込み）とを備え、
前記ピン挿入用表面切込みと前記ピン挿入用裏面切込みとが重ならないことを特徴とする、値札。
【請求項２】
前記ピン挿入用表面切込み及び前記ピン挿入用裏面切込みは前記取付孔から前記長方形の１辺に向かう傾斜した直線状のものであり、
前記ピン挿入用表面切込みと前記ピン挿入用裏面切込みとは略等しい角度で逆方向に傾斜していることを特徴とする、請求項１に記載の値札。
【請求項３】
前記ピン挿入用表面切込み及び前記ピン挿入用裏面切込みは、前記取付孔から前記長方形の１辺と平行又は前記長方形の１辺に近づく方向に向いた直線状の第一の切込み部分と、前記第一の切込み部分から方向を変えて延長され前記取付孔の前記長方形の１辺の側の接続点に達する第二の切込み部分と、前記接続点から前記長方形の１辺に向かう傾斜した直線状の第三の切込み部分とを有するものであり、
前記表面切込みと前記裏面切込みとは前記取付孔から前記長方形の１辺に向かう垂線に対して略対称の位置にあることを特徴とする、請求項１に記載の値札。
【請求項４】
前記表面シート又は前記裏面シートの少なくとも一方は、前記第一の切込み部分が前記取付孔と反対の側に直線状に延伸され、
他方のシートは前記延伸された第一の切込み部分の箇所に離脱防止用切込みを有することを特徴とする、請求項３に記載の値札。
【発明の詳細な説明】
【技術分野】
【０００１】
本発明は、メーカが付したブランドタグに加えて取付けるための値札に関するものである。
【背景技術】
【０００２】
アパレル業界においては、卸売店や小売店において、メーカが付したブランドタグに加えて値札を付ける作業が発生する。従来、この作業は、特許文献１に示すように値札付け用ピストルを用いて行われていた。
しかし、値札付け用ピストルを用いる作業には時間がかかり（値札１枚につき３０秒程度を要する）、卸売店や小売店の人件費の点で問題があった。また、ピストルの針によってけがをするおそれもあった。
【０００３】
この問題を解決するものとして、特許文献２には粘着シートの粘着面同士を張り合わせて用いるタックシート（値札）が開示されている。しかし、特許文献２に開示されたタックシートによっても、値札を付ける作業に要する時間はなお大きい。
【０００４】
図２に示すように切込みを入れた値札を用いれば、短時間で値札を付けることが可能である。しかし、商品の運送中の振動等によって偶然に値札がはずれてしまう可能性が残る。また、販売現場において悪意の客が低額商品の値札を高額商品に付して精算することが容易にできてしまう。
【先行技術文献】
【特許文献】
【０００５】
【特許文献１】実用新案登録３０３０８８３号公報
【特許文献２】特開２００９−０８６０８８号公報
【発明の概要】
【発明が解決しようとする課題】
【０００６】
解決しようとする課題は、メーカが付したブランドタグに加えて取付けることが、ピストルを使わずに短時間で行える値札であって、商品の運送中の振動等によって偶然に値札がはずれてしまうことのないものを提供することである。
【課題を解決するための手段】
【０００７】
本発明の値札は、
互いに貼着された略長方形状の表面シート及び裏面シートと、
前記表面シート及び裏面シートの両方を貫通する取付孔と、
前記取付孔から前記長方形の１辺に向けて設けられた弱粘着部と、
前記弱粘着部の周縁又は内部に設けられた前記取付孔と前記長方形の１辺とを結ぶ前記表面シートのピン挿入用切込み（ピン挿入用表面切込み）と、
前記弱粘着部の周縁又は内部に設けられた前記取付孔と前記長方形の１辺とを結ぶ前記裏面シートのピン挿入用切込み（ピン挿入用裏面切込み）とを備え、
前記ピン挿入用表面切込みと前記ピン挿入用裏面切込みとが重ならないことを特徴とする。
【０００８】
図１は、値札の付け方を示す図である。（ａ）のように、ブランドタグ１がピン２に取付けられている状態において、値札３をさらに取付けるものである。
値札付け用ピストルを用いる方法では、（ｂ）のように、ブランドタグ１の取付孔にもう１本のピン（図において点線で示す。）を通し、そのピンに値札３が取付けられている。
これに対し、（ｃ）のように、ブランドタグ１の取付けられたピン２に値札３を取付けることができれば、ピンの数が少なくてすむ。
【０００９】
図２に示すような、取付孔４から長方形の１辺に向けて設けられたピン挿入用切込み５を有する値札を用いて  ピン２に値札３を取り付けることは、従来から可能であった。
かかる値札は、ピン挿入用切込み５にピン２を通して値札を取付けるが、取付時と逆向きにピン挿入用切込み５にピン２を通れば値札が取外れてしまう。このため、商品の運送中の振動等によって偶然に値札がはずれてしまう可能性が残る。また、販売現場において悪意の客が低額商品の値札を高額商品に付して精算することが容易にできてしまう。
【００１０】
本発明の値札は、表面シートと裏面シートの異なる箇所にピン挿入用切込みを設け、２つのピン挿入用切込み及び弱粘着部にピン２を通してピン２に値札３を取り付ける。ここで、弱粘着部は、取付孔から長方形の１辺に向かう部分の以外に広がっていてもよく、また、ピンが外れない限りにおいて無粘着であってもよい。
取付後においては、弱粘着部が粘着することによって商品の運送中の振動等によって偶然に値札がはずれてしまうことが防止される。また、悪意の客が低額商品の値札を高額商品に付して精算しようとしても、低額商品の値札をピンから取外すことが困難である。
【００１１】
本発明の値札は、
前記ピン挿入用表面切込み及び前記ピン挿入用裏面切込みは前記取付孔から前記長方形の１辺に向かう傾斜した直線状のものであり、
前記ピン挿入用表面切込みと前記ピン挿入用裏面切込みとは略等しい角度で逆方向に傾斜していることを特徴とする。
【００１２】
図３に示す形状の値札である。表面シート３１には（ａ）に示すように取付孔４から長方形の１辺に向かう傾斜した直線状のピン挿入用表面切込み５１が設けられている。裏面シート３２にも（ｂ）に示すように取付孔４から長方形の１辺に向かう傾斜した直線状のピン挿入用裏面切込み５２が設けられている。ピン挿入用表面切込み５１とピン挿入用裏面切込み５２とは逆方向に傾斜している。なお、（ｂ）において、裏面シート３２は表面側から見た状態を図示してある。裏面側から見た裏面シート３２は表面シート３１と同形である。すなわち、１種類のシートのみを生産し、２枚を表面シート及び裏面シートとして用いることができる。
表面シート３１と裏面シート３２を貼り合せると（ｃ）の形状になる。ピン挿入用切込み５１及び５２は、表面シート及び裏面シートのいずれか一方のみに設けられており、弱粘着部が粘着した後は、他方のシートによってピン２が通らないようになる。
【００１３】
本発明の値札は、
前記ピン挿入用表面切込み及び前記ピン挿入用裏面切込みは、前記取付孔から前記長方形の１辺と平行又は前記長方形の１辺に近づく方向に向いた直線状の第一の切込み部分と、前記第一の切込み部分から方向を変えて延長され前記取付孔の前記長方形の１辺の側の接続点に達する第二の切込み部分と、前記接続点から前記長方形の１辺に向かう傾斜した直線状の第三の切込み部分とを有するものであり、
前記表面切込みと前記裏面切込みとは前記取付孔から前記長方形の１辺に向かう垂線に対して略対称の位置にあることを特徴とする。
【００１４】
図４に示す形状の値札である。図３においては直線状であったピン挿入用表面切込み５１が、第一の切込み部分５１ａ、第二の切込み部分５１ｂ及び第三の切込み部分５１ｃに分割されて折れ曲がっている。この折れ曲がりによって、偶然に値札がはずれてしまうことがより確実に防止される。
なお、第一の切込み部分５１ａは図のように水平でなく、取付孔４の側が図の下側となるように傾いていてもよい。
【００１５】
本発明の値札は、
前記表面シート又は前記裏面シートの少なくとも一方は、前記第一の切込み部分が前記取付孔と反対の側に直線状に延伸され、
他方のシートは前記延伸された第一の切込み部分の箇所に離脱防止用切込みを有することを特徴とする。
【００１６】
図５に示す形状の値札である。図４に示されたものに比して、第一の切込み部分５１ａ及び５２ａが延伸され、第一の切込み部分５１ａに対応する離脱防止用切込み６２、及び第一の切込み部分５２ａに対応する離脱防止用切込み６１が設けられている。
第一の切込み部分と離脱防止用切込みとが重なっており、ピン２が偶然に（又は悪意の者の行為によって）この部分に入り込むことがある。この場合において、入り込んだピン２は延伸された部分に入り、第二の切込み部分には入らない。偶然に値札がはずれてしまうことが更に確実に防止される。
【発明の効果】
【００１７】
メーカが付したブランドタグに加えて取付けることが、ピストルを使わずに短時間で行える値札であって、商品の運送中の振動等によって値札がはずれてしまうことのないものを提供することができる
【図面の簡単な説明】
【００１８】
【図１】図１は、値札の付け方を示す図である。
【図２】図２は、値札を示す図である。
【図３】図３は、値札を示す図である。
【図４】図４は、値札を示す図である。
【図５】図５は、値札を示す図である。
【図６】図６は、ピンの通し方を示す図である。
【発明を実施するための形態】
【００１９】
本発明の値札の形状については説明した。以下、ピンを値札に通す手順を説明する。
【００２０】
図６は、ピンの通し方を示す図である。（ａ）は、値札を図３の上側から見た図である。表面シート３１と裏面シート３２とが糊付け部７おいて糊付けされている。中央に弱粘着部８があり、ピン挿入用表面切込み５１及びピン挿入用裏面切込み５２は弱粘着部８の周縁に設けられている。ただし、周縁でなく内部に設けてもよい。
上側から見て、ピン挿入用表面切込み５１、弱粘着部８及びピン挿入用裏面切込み５２を通すように、ピン２を配置する。この状態を表面側から見ると（ｂ）のようになる。点線は、ピン２のうち値札に隠れて見えない部分を示す。
【００２１】
ピン２を下に引くと、ピン２は、弱粘着部８を通り、（ｃ）のように取付孔４に達する。これにより、値札３がピン２に取付けられる。ピン２を所定の位置に配置して下に引くだけの操作であり、短時間で容易に取付けることができる。
【００２２】
以上、図３に示した値札を例にピンを値札に通す手順を説明した。図４及び図５に示した値札についても、同様である。
【産業上の利用可能性】
【００２３】
メーカが付したブランドタグに加えて取付けることが、ピストルを使わずに短時間で行える値札であって、商品の運送中の振動等によって値札がはずれてしまうことのないものであり、多くのアパレル卸売店及び小売店による利用が考えられる。
【符号の説明】
【００２４】
１      ブランドタグ
２      ピン
３      値札
３１    表面シート
３２    裏面シート
４      取付孔
５１    ピン挿入用表面切込み
５２    ピン挿入用裏面切込み
６１    離脱防止用切込み
６２    離脱防止用切込み
７      糊付け部
８      弱粘着部
【図１】
2014202926.tif 000003
【図２】
2014202926.tif 000004
【図３】
2014202926.tif 000005
【図４】
2014202926.tif 000006
【図５】
2014202926.tif 000007
【図６】
2014202926.tif 000008